(57)【特許請求の範囲】
【請求項１】
パネルとパネルをコーナー柱を介して連結して構築したパネル塀において、
該コーナー柱は、パネルとパネルの連結角度を変えて連結する可変連結部を備え、
前記パネルは、その端縁に前記可変連結部の相手部材である被連結部を備えており、
前記可変連結部が、前記コーナー柱の柱本体に設けられる、凸形円弧面を有する柱状部材であり、
前記被連結部が、前記パネルの端縁に設けられる、凹形円弧面を有する端部材であり、
前記柱状部材と前記端部材は、前記凸形円孤面と前記凹形円孤面を面接触させた状態で、互いに結合可能であり、
前記パネル塀の一側面において、前記可変連結部の外表面と前記パネルの外表面が面一であり、前記被連結部の外表面と前記パネルの外表面が面一であり、前記可変連結部の外表面と前記被連結部の外表面が面一となるように、前記可変連結部と前記被連結部が配置されている
ことを特徴とするパネル塀。
【請求項２】
前記可変連結部の外面と前記被連結部の外面とにわたって貼付された薄膜テープと、
該薄膜テープの外表面から外装材が塗布されている
ことを特徴とする請求項１記載のパネル塀。
【請求項３】
パネルとパネルをコーナー柱を介して連結してパネル塀を構築する方法であって、
該コーナー柱は、パネルとパネルの連結角度を変えて連結する可変連結部を備え、
前記パネルは、その端縁に前記可変連結部の相手部材である被連結部を備えており、
前記可変連結部が、前記コーナー柱の柱本体に設けられる、凸形円弧面を有する柱状部材であり、
前記被連結部が、前記パネルの端縁に設けられる、凹形円弧面を有する端部材であり、
前記柱状部材と前記端部材は、前記凸形円孤面と前記凹形円孤面を面接触させた状態で、互いに結合可能であり、
前記パネル塀の一側面において、前記可変連結部の外表面と前記パネルの外表面が面一であり、前記被連結部の外表面と前記パネルの外表面が面一であり、前記可変連結部の外表面と前記被連結部の外表面が面一となるように、前記可変連結部と前記被連結部が配置されており、
前記コーナー柱に対し前記パネルを連結するに際し、前記可変連結部に対して前記被連結部の連結角度を任意に選択して結合する
ことを特徴とするパネル塀の構築方法。
【発明の詳細な説明】
【技術分野】
【０００１】
本発明は、パネル塀およびその構築方法に関する。さらに詳しくは、家屋や敷地の周りを囲む塀を構築するためのパネル塀であってパネル同士の連結角度を可変としたパネル塀とその構築方法に関する。
【背景技術】
【０００２】
従来より家屋や敷地の周りを囲む塀にはコンクリートブロックを積み上げたブロック塀が多用されている。
しかるにブロック塀は、砂をセメントで固めたコンクリート構造物であるので重量が重く、倒壊したときに人が下敷きになると大きな人身事故を招くという欠点があった。
【０００３】
そこで、軽量化しながら外観の質も向上させたものとして特許文献１，２の従来技術が提案された。
特許文献１の従来技術は、アルミニウム製構造材からなるフレームにセメント系のパネルを取付け、かつ外面にタイルを貼付したものである。
特許文献２の従来技術は、アルミニウム製構造材からなるフレームに窯業系サイディングを張設したものである。
【０００４】
上記従来例１、２は、セメント系パネルとタイルを使ったり（特許文献１）、窯業系サイディング（特許文献２）を使うため、コンクリートブロックよりは軽いものの、軽量効果は充分ではなかった。
また、躯体フレームに各種の外装材（セメント系パネルやタイル、窯業系サイディング）を取り付けていくので、現場施工に手間がかかるという問題があり、仮に工場内で組立てして出荷するようにすれば、変化の乏しい塀となり、住宅デザインや都市デザインからの要望にこたえられないものとなってしまう。
【０００５】
一方、軽量化の点では、更に進化した従来技術として、特許文献３がある。
この従来技術は、支柱に合成樹脂製のパネルを結合したものである。この従来技術では、軽量で施工性の優れたものとなるが、厚さの薄い板状の外観となり、かつ表面が平坦なだけであるから美的質感は極めて乏しいものであって、住宅デザインや都市デザインからの要望には応えることができない。
【先行技術文献】
【特許文献】
【０００６】
【特許文献１】特開平６−１３７０５１号公報
【特許文献２】特開平７−１８９６２号公報
【特許文献３】特開２００３−３２１９５２号公報
【発明の概要】
【発明が解決しようとする課題】
【０００７】
そこで、本発明者は、モジュール化されたパネルを支柱を介して組立て、その外面に外装材を塗布することにより、軽量で美的質感の高いパネル塀が得られることを見出した。
このようなパネル塀において、商品価値を高めるには複数枚のパネルをまっすぐに連結するだけでなく、連結角度を変えてつなぎ直線的でない塀であっても構築できることが好ましい。
【０００８】
本発明は上記事情に鑑み、パネル同士の連結角度を自在に変更することができるパネル塀と、その構築方法を提供することを目的とする。
【課題を解決するための手段】
【０００９】
第１発明のパネル塀は、パネルとパネルをコーナー柱を介して連結して構築したパネル塀において、該コーナー柱は、パネルとパネルの連結角度を変えて連結する可変連結部を備え、前記パネルは、その端縁に前記可変連結部の相手部材である被連結部を備えており、前記可変連結部が、前記コーナー柱の柱本体に設けられる、凸形円弧面を有する柱状部材であり、前記被連結部が、前記パネルの端縁に設けられる、凹形円弧面を有する端部材であり、前記柱状部材と前記端部材は、前記凸形円孤面と前記凹形円孤面を面接触させた状態で、互いに結合可能であり、前記パネル塀の一側面において、前記可変連結部の外表面と前記パネルの外表面が面一であり、前記被連結部の外表面と前記パネルの外表面が面一であり、前記可変連結部の外表面と前記被連結部の外表面が面一となるように、前記可変連結部と前記被連結部が配置されていることを特徴とする。
第２発明のパネル塀は、第１発明において、前記可変連結部の外面と前記被連結部の外面とにわたって貼付された薄膜テープと、該薄膜テープの外表面から外装材が塗布されていることを特徴とする。
第３発明のパネル塀の構築方法は、パネルとパネルをコーナー柱を介して連結してパネル塀を構築する方法であって、該コーナー柱は、パネルとパネルの連結角度を変えて連結する可変連結部を備え、前記パネルは、その端縁に前記可変連結部の相手部材である被連結部を備えており、前記可変連結部が、前記コーナー柱の柱本体に設けられる、凸形円弧面を有する柱状部材であり、前記被連結部が、前記パネルの端縁に設けられる、凹形円弧面を有する端部材であり、前記柱状部材と前記端部材は、前記凸形円孤面と前記凹形円孤面を面接触させた状態で、互いに結合可能であり、前記パネル塀の一側面において、前記可変連結部の外表面と前記パネルの外表面が面一であり、前記被連結部の外表面と前記パネルの外表面が面一であり、前記可変連結部の外表面と前記被連結部の外表面が面一となるように、前記可変連結部と前記被連結部が配置されており、前記コーナー柱に対し前記パネルを連結するに際し、前記可変連結部に対して前記被連結部の連結角度を任意に選択して結合することを特徴とする。
【発明の効果】
【００１０】
第１発明によれば、つぎの効果を奏する。
ａ）コーナー柱の可変連結部における凸形円弧面に対しパネルの被連結部における凹形円弧面を円弧方向にズラせると、連結角度を変えることができ、その状態で結合すると、任意の連結角でパネルをつないだパネル塀を構築できる。  
ｂ）コーナー柱の外表面とパネルの外表面とが面一になり、コーナー柱とパネルの間で段差が生じない。
第２発明によれば、コーナー柱の可変連結部とパネルの被連結部における外面に薄膜テープを貼付すると、可変連結部と被連結部の間の溝が埋められ平坦となる。このため、その上面から外装材を塗布すると、他の平坦部分の仕上がりと全く同様の仕上りとなって、美麗な外観が得られる。
第３発明によれば、つぎの効果を奏する。
ａ）コーナー柱の可変連結部における凸形円弧面に対しパネルの被連結部における凹形円弧面を円弧方向にズラせて連結角度を変えると、任意の連結角でパネルをつないだパネル塀を構築できる。
ｂ）コーナー柱の外表面とパネルの外表面とが面一になり、コーナー柱とパネルの間で段差が生じない。
【図面の簡単な説明】
【００１１】
【図１】本発明におけるパネル塀の一例を示し、（Ａ）は正面図、（Ｂ）は平面図である。
【図２】図１の一部（II部分）拡大横断面図である。
【図３】コーナー柱６０と被連結部６５の分離拡大図である。
【図４】図２に示す２枚のパネルを直列に連結した状態を示す拡大横断面図である。
【図５】図２に示す２枚のパネルを７０°の連結角度で連結した状態を示す拡大横断面図である。
【図６】本発明で用いるパネルの説明図であって、（Ａ）は正面図、（Ｂ）は平面図、（Ｃ）は側面図である。
【図７】本発明で用いる各種パネルの斜視図である。
【図８】本発明に係るパネル塀の構築方法の説明図である。
【図９】本発明に係るパネル塀の使用例を示す説明図である。
【発明を実施するための形態】
【００１２】
つぎに、本発明の実施形態を図面に基づき説明する。
まず、図９に基づき、本発明に係るパネル塀の使用例を説明しておく。
Ｈ１とＨ２は家屋であり、隣接して建てられている。Ｗ２は図８の塀であり、Ｗ１とＷ３は他の形態の使用例である。
本発明は、このようなＷ２で示すような折れ曲がった塀となるパネル塀と、その構築方法に関する。
【００１３】
本発明に係るパネル塀の特徴は、モジュール化された塀用パネルを用いた点にある。このモジュール化の意味は、統一化された基準寸法の縦、横、厚さ寸法をもつように各塀用パネルが構成され、互いに連結して、高さを変え、かつ左右方向に長さを延ばすことが可能となっていることにある。
【００１４】
各塀用パネルの連結は、パネルとは別部材である支柱を介して行い、横方向には、隣接するパネルの間に一本づつ支柱を立て、支柱を介して各パネルを連結することにより、構築していくことができる。また、高さ方向にはパネルを上に積み重ね、かつ同じ支柱に連結することで構築できる。なお、このようにパネル塀を構築する際に、隣接するパネルを角度を付けて連結する構成と方法が本発明の主題である。
【００１５】
上記のような、パネル塀の構成要素である塀用パネルの基本構造を図６に基づき説明する。
図示の基本パネル１は、四角形の枠体１１と、その表裏両面に貼付した２枚の外板１２とからなる。
枠体１１は左右の縦桟１１ａと上下の横桟１１ｂを個別に製作した後で互いに結合したものでもよく、初めから一体に製作したものでもよい。枠体１１の大きさに併せて、補強用の桟１３を用いることは任意である。
外板１２は、枠体１１の縦横寸法と同じ板材であり、枠体１１への取付けは、ビス止めや溶接など任意の手段をとりうる。
枠体１１の左右の縦桟１１ａには、支柱に結合するための連結部１４が形成されている。
【００１６】
図７には、各種パネル１、３、５および６が示されている。これらの概要は、以下のとおりである。
１：基本パネル
図６に示した塀構築の基本部材となるパネルであって、外板１２は特別の孔加工などは施されておらず、平坦な形状のままである。パネルの内部は空洞であり、最も軽量なタイプである。
３：丸開口パネル
基本パネルに丸形の開口を形成したものである。図示の例では、開口は４個であるが、開口の数や位置は任意である。
５，６：基本パネルと丸開口パネル
基本パネル１と丸開口パネル３と実質同一の構造をもつパネル５，６であるが、横寸法が小さいものである。
なお、上記以外にも種々のデザインを施したり、ルーバーや郵便ポストなどの機能部品を有するパネルを用いることができる。
【００１７】
上記パネルの構成素材には、とくに制限がなく、金属や合成樹脂、セメント成形板などを利用できる。金属には、鉄や銅、マグネシウム、アルミニウムなどの利用が可能であり、合成樹脂には、ポリエチレン板、ポリプロピレン板などが利用可能である。
【００１８】
地震等による耐倒壊性を高めるためには、軽量素材を用いるのが好ましく、強度と軽量性を共に満足するためには、軽金属、とくにアルミニウムが好ましい。枠体１１はアルミニウム押出形材であると、製造が容易であり、任意の断面形状が可能であって、かつ連結部１４も同時に成形できる。
外板１２は、アルミニウム板、もしくはアルミニウム板に合成樹脂層を積層したものが好適である。
なお、アルミニウム材料は、軽量性と耐腐食性を兼ね備えている。
また、支柱２０もパネルと同様の種々の材料を用いることができるが、強度と軽量性を共に満足するには軽金属、とくにアルミニウム製の押出形材が好ましい。
【００１９】
本発明では、上記各種パネルを支柱２０とコーナー柱６０を用いて連結される。また、各種パネルを固定したり連結する支柱２０やコーナー柱６０も同様に軽金属が用いられ、とくにアルミニウム製の押出形材が好ましい。
【００２０】
図１は、本発明に基づき折り曲げて連結したパネル塀の一例を示している。
左側のパネル塀は、基本パネル１と丸開口パネル３と基本パネル１を端柱としての支柱２０とコーナー柱６０で保持したものであり、右側のパネル塀は右端の支柱２０と中央のコーナー柱６０とで同一構成のパネル１，３，１を保持したものである。
図示のパネル１，１は、コーナー柱６０を境にして、左側のパネル１と右側のパネル１が角度７０°〜１８０°の範囲で連結角度θを変えることができる。
【００２１】
まず、図２に基づき、支柱２０とパネル１の連結構造を説明しておく。
図２の下部は支柱２０とパネル１を連結した部分の拡大図である。パネル１は端部のみ示されている。
連結部１４は、縦桟１１ａから外側に突出した２枚の突片で、縦桟１１ａとほぼ同じ上下長さを有している。また、その適所、たとえば上下両端部と中間部１２はビス孔が形成され、ビスの螺合が可能となっている。
【００２２】
支柱２０には、連結板２１がネジ止めされており、この連結板２１には前記連結部１４の相手部材となる被連結部２４が形成されている。そして、ビス２５を連結部１４と被連結部２４に共に螺合することにより、パネル１を支柱２０を介して連結できるようになっている。
なお、上記の連結構造は一例であって、他の任意の構造をとくに制限なく採用できる。
【００２３】
前記被連結部２４は、横断面がＵ字状であり、外側に向って開口している。その開口にはカバー４１が嵌められて閉口している。そのカバー４１は、支柱２０とパネル１の間の上下長さを有する帯状部材であり、その内面には弾力性を有する係止片が形成されており、それが撓みながら前記被連結部２４に係合するというものである。このような弾性型係止片を用いると、手で押し込むだけで、被連結部２４にカバー４１を取付けることができるという利点がある。
【００２４】
つぎに、図２および図３に基づき、本発明に係るコーナー柱６０とパネル１との間の連結構造を説明する。
コーナー柱６０の柱本体２０ａは支柱２０と同一構成の柱部材である。
柱本体２０ａには、可変連結部６１が設けられている。可変連結部６１は、凸形円孤面６２を有する柱状部材であり、円孤面６２は角度にして約２７０°にわたっている。円孤でない部分はＬ形に形成された取付部６３となっており、柱本体２０ａの角部にぴったり合わさってビス６４で固定されている。
上記の可変連結部６１は、柱本体２０ａと別体のものを取り付けてもよく、柱本体２０ａに一体に成形したものであってもよい。
【００２５】
一方、パネル側に設けられる被連結部６５は、凹形円孤面６６を有する柱状部材であり、円孤面６６は角度にして140°位にわたっている。凹形円孤面６６は、面状に形成された面接触部６６ａと線状に形成された線接触部６６ｂからなるが、線接触部６６ｂはビス６７を通すために形成されている。
円孤面６６の背面側には、パネル１側の連結部１４と連結するための連結板６８が形成されている。
【００２６】
前記連結板６８の両端部は断面視で凹状に形成され、その両先端部には内側に向け突出した係止突起６９，６９が形成されている。そして、係止突起６９、６９には、カバー４１が嵌められている。
このカバー４１は、支柱２０とパネル１の間の被連結部２４に嵌められたものと実質同一部材である。このカバー４１は、手で押し込むだけで、連結板６８の外側面に嵌め込むことができる。
【００２７】
図２に示すように、コーナー柱６０の可変連結部６１における凸形円弧面６２に対しパネル１の被連結部６５における凹形円弧面６６を沿わせ、かつ円弧方向にズラせると、連結角度を変えることができる。そして、その状態でビス６７で結合すると、任意の連結角でパネル１をつなぎ、パネル塀を構築できる。
図４は、コーナー柱６０を挟んで隣接するパネル１，１を直列に連結した状態を示している。
図５は、コーナー柱６０を挟んで、隣接するパネル１，１を７０°の角度で交差するように連結した状態を示している。
このように、本発明によれば、パネル１，１を任意の連結角度で連結することができる。
【００２８】
つぎに、可変連結部６１と被連結部６５の間の目地処理の詳細を、図４に基づき説明する。
可変連結部６１と被連結部６５の間には、小さな隙間があるが、この隙間の周辺を覆うように薄膜テープ、たとえばアルミニウムテープ５１（厚さ０．０５〜０．１０ｍｍ）を貼付する。アルミニウムテープ５１の貼付によって隙間は覆い隠され、その部分は平坦となる。その後は塗布作業となるが、その詳細は後述する。
なお、目地処理の要領は、連結角度を変えた図２や図５の場合も同様である。
【００２９】
上記のように目地処理を実行した結果、アルミニウムテープ５１は、パネル１と同質素材であるので、同一の下地材で下地処理ができ、後工程での外装材を塗布しても剥落は生じにくい。そして、下地塗装し外装材を塗布すると、他の平坦部分の仕上がりと全く同様の仕上りとなって、美麗な外観が得られる。
また、このように仕上げたパネル塀は、自然の風合いや嵩高感を有するものとなる。
【００３０】
なお、支柱２０とパネル１の間の目地処理も同様に行われる。図２に示す連結板２４に取付けた状態でのカバー４１の外表面は、支柱２０の外表面およびパネル１の外表面（外板１２の外表面）と面一になっている。すなわち、外表面の高さは全く同一であり、支柱２０やパネル１との間で段差は生じていない。カバー４１と支柱２０との間、およびカバー４１とパネル１との間には、わずかな線状の溝が生ずるが、これが目地となっている。
【００３１】
上記の目地を平坦に整形する目地処理する際も同様の薄膜テープ、たとえばアルミニウムテープ５１を貼付する。具体的には、アルミニウムテープ５１をカバー４１とその側方に位置する支柱２０のカバー側近傍およびカバー４１の他方に位置するパネル１のカバー側近傍からなる領域に貼付する。この結果、カバー１とその両サイドの領域はアルミニウムテープ５１で覆われて、目地溝は全く現われなくなる。ちなみに本実施例において、カバー１の幅は１４ｍｍ、アルミニウムテープ５１は厚さ０．０８ｍｍ、幅５０ｍｍであり、アルミニウムテープ５１によって、外板１２を枠体１１に取付けるビスの頭部も覆い隠すことができる。
【００３２】
つぎに、上記の塀用パネルを用いて構築した塀を図８に基づき説明する。
（１）図に示すように、地中に基礎７０を構築して、支柱２０とコーナー柱６０を必要本数だけ立設する。
２本の支柱２０、６０の間に、基本パネル１，５や丸開口パネル３，６を挿入し、各パネルを支柱２０、６０に連結する。この連結方法は後述するように連結部１４をビス止めすることにより行われる。支柱２０とコーナー柱６０各パネル１，３，５，６の間の目地は封止したうえで塗布作業に移るが、その目地処理の詳細は既述のとおりである。
【００３３】
（２）図に示すように、連結された各パネル１，３、５，６の表面に下地調整材３１を施す。この下地調整材３１は、次工程で行う外装材が確実に付着し、剥落等が生じないようにするため行われる。
（３）図に示すように、下地層の表面に外装材３２を塗布する。外装材３２の代表的なものは、バインダーとしての合成樹脂と砂とパルプを主成分とするものなどが用いられ、鏝仕上げ等の手法で塗布される。この外装材は砂とパルプを含むことから自然の風合いと嵩高感を有する点に特徴がある。なお、完成したパネル塀に後付け型の郵便ポストを取付けたり、更にはデザイン仕上げを目的とした表面塗装を行ってもよい。
【００３４】
（他の実施形態）
つぎに、本発明が適用可能なパネル塀を説明する。
上記に示した各種パネルには、さらに意匠性加工を施したり、機能性部材を取付けたものもよい。
意匠性加工には種々のものを任意に援用でき、角開口や丸開口などの加工、その他任意のものを付加することができる。
また、機能性部材は、縦型や横型のポストやルーバーセットなどを付加し、さらにその他任意のものを付加することができる。
【００３５】
また、基本パネルの外、パネル内部に発泡剤、たとえば低発泡ポリスチレンを充填したものを用いることもできる。このようなパネルは、内部が密に充填されているので、強度が向上する外、現場で任意の形状に切断しても、内部の充填物を介して切断部分のシールが容易に行えるという利点がある。
【００３６】
本発明で用いる各パネルは基準寸法を共有するモジュール化されたものである。具体的な基準寸法としては、とくに制限なく、施工性などの面から任意の寸法を採用できるが、縦６００ｍｍ、横９１０ｍｍ、厚さ６０ｍｍなどを例示できる。支柱の高さは、パネルの高さに根入れ寸法２００〜３００ｍｍを足した高さとするのが代表的であるが、これに限られることはない。
【００３７】
先に説明した実施形態では、下地調整材３１を塗布したうえで壁用外装材を塗布したが、下地調整材を用いない仕上げ方法も採用できる。
すなわち、壁用外装材がパネル表面に直接塗布しても剥落等が生じないものであれば、パネルへの直接塗布が可能なのであり、そのような壁用外装材としては、合成樹脂系塗料があげられる。また、合成樹脂系塗料の代表的なものとして、エポキシ系樹脂塗料が例示できる。
【符号の説明】
【００３８】
１    パネル
１４    連結部
２０    支柱
５１    アルミニウムテープ
６０    コーナー柱
６１    可変連結部
６２    凸形円弧面
６５    被連結部
６６    凹形円弧面
６８    連結板
【図１】
0005686759.tif 000002
【図２】
0005686759.tif 000003
【図３】
0005686759.tif 000004
【図４】
0005686759.tif 000005
【図５】
0005686759.tif 000006
【図６】
0005686759.tif 000007
【図７】
0005686759.tif 000008
【図８】
0005686759.tif 000009
【図９】
0005686759.tif 000010